【手続補正書】
【提出日】平成24年7月17日(2012.7.17)
【手続補正１】
【補正対象書類名】特許請求の範囲
【補正対象項目名】全文
【補正方法】変更
【補正の内容】
【特許請求の範囲】
【請求項１】
デジタル画像フレームを符号化する方法であって、
ａ．前記フレームに符号化処理を施して符号化済みフレームを生成するステップであって、前記符号化処理は前記フレームの少なくとも一つの画素を間引くことを含む、ステップと、
ｂ．前記フレームに前記符号化処理を施す過程で、前記少なくとも一つの間引きされた画素を、前記フレームの他の間引きされておらず符号化されていない画素から再現する手段を示すメタデータを生成するステップと、
ｃ．前記符号化済みフレームを復号化するときに少なくとも一つの欠落している画素を補間するのに利用するため、前記メタデータを前記符号化済みフレームに関連付けるステップと、
を含む、方法。
【請求項２】
前記メタデータは、前記フレームの少なくとも一つの間引きされた画素の少なくとも一つの成分の値を表す、請求項１に記載の方法。
【請求項３】
前記メタデータは、前記少なくとも一つの間引きされた画素の各々について、前記間引きされた画素の少なくとも一つの成分の近似値を表す、請求項２に記載の方法。
【請求項４】
前記近似値は、前記フレーム内の少なくとも一つの隣接する間引きされておらず符号化されていない画素の少なくとも一つの成分値の組み合わせである、請求項３に記載の方法。
【請求項５】
前記メタデータは、前記少なくとも一つの間引きされた画素の各々について、前記間引きされた画素の少なくとも一つの成分の実際の値を表す、請求項２に記載の方法。
【請求項６】
前記メタデータは、前記フレームに前記符号化処理が施される過程において、前記フレームから間引きされた画素の各々について生成される、請求項１〜５のいずれか１つに記載の方法。
【請求項７】
メタデータを生成する対象である前記フレームの各々の画素を特定するステップをさらに含み、
前記フレームに対してメタデータを生成するステップは、前記フレームの少なくとも一つの画素に関する表示を生成するステップを含み、前記表示はメタデータがそれぞれの画素について存在するか否かを表すものである、請求項１〜６のいずれか１つに記載の方法。
【請求項８】
メタデータを生成する対象である前記フレームの各々の画素の各々の成分を特定するステップをさらに含む、請求項１〜７のいずれか１つに記載の方法。
【請求項９】
前記フレームに対してメタデータを生成するステップは、前記フレームの少なくとも一つの画素の少なくとも一つの成分に関する表示を生成するステップを含み、前記表示はメタデータがそれぞれの成分について存在するか否かを表すものである、請求項８に記載の方法。
【請求項１０】
前記符号化処理の過程で前記フレームから間引きされた画素の各々について、少なくとも一つの成分についてメタデータを生成するか否かを決定するステップをさらに含む、請求項１〜５のいずれか１つに記載の方法。
【請求項１１】
前記符号化処理の過程で前記フレームから間引きされた画素の各々について、前記画素
の少なくとも一つの成分に対する標準的補間処理によって前記画素の少なくとも一つの成分の元の値からずれが生じ、前記決定するステップは各々の画素の少なくとも一つの成分の前記ずれと所定の最大許容ずれ値とを比較するステップを含む、請求項１０に記載の方法。
【請求項１２】
前記メタデータは、間引きされた画素あたり可変なビット数のデータを含む、請求項１〜１１のいずれか１つに記載の方法。
【請求項１３】
前記メタデータを生成するステップは、所定のメタデータマッピングテーブルを参照するステップを含む、請求項１に記載の方法。
【請求項１４】
前記所定のメタデータマッピングテーブルはメタデータ値を画素成分値に対応づける、請求項１３に記載の方法。
【請求項１５】
前記画像フレームは立体画像フレームであり、
前記立体画像フレームに施された前記符号化処理は、圧縮符号化処理であり、圧縮された左目と右目の画像を併合するステップを含む、請求項１〜１４のいずれか１つに記載の方法。
【請求項１６】
前記立体画像フレームの前記符号化処理によって、互いに隣接するよう配置された第一および第二の画素モザイクを含む前記フレームの符号化バージョンが形成され、前記第一の画素モザイクは左目画像の画素で形成され、前記第二の画素モザイクは右目画像の画素で形成されている、請求項１５に記載の方法。
【請求項１７】
符号化済みデジタル画像フレームを復号化して前記フレームのオリジナルバージョンを再現する方法であって、前記符号化済みフレームに復号化処理を施す過程でメタデータを利用するステップを含み、前記メタデータは、前記フレームの少なくとも一つの欠落している画素を前記フレームの他の復号化された画素から補間する手段を示す、方法。
【請求項１８】
前記メタデータは、前記フレームの符号化の過程において前記フレームの前記オリジナルバージョンから間引きされた少なくとも一つの画素の少なくとも一つの成分の値を表す、請求項１７に記載の方法。
【請求項１９】
前記メタデータは、前記フレームの符号化の過程において前記フレームの前記オリジナルバージョンから間引きされたすべての画素に関連付けられている、請求項１８に記載の方法。
【請求項２０】
デジタル画像ストリームのフレームを処理するシステムであって、
ａ．前記画像ストリームのフレームを受信するプロセッサであって、前記プロセッサは前記フレームの符号化処理の過程でメタデータを生成する機能を有し、前記符号化処理は前記フレームの少なくとも一つの画素を間引くことを含み、前記メタデータは前記少なくとも一つの間引きされた画素を前記フレームの他の間引きされておらず符号化されていない画素から再現する手段を示す、プロセッサと、
ｂ．前記プロセッサから前記フレームおよび前記メタデータを受信する圧縮器であって、前記フレームに第一の圧縮処理を施しかつ前記メタデータに第二の圧縮処理を施すことによって、圧縮済みフレームおよびそれに関連付けられた圧縮済みメタデータを生成する機能を有する、圧縮器と、
ｃ．前記圧縮済みフレームおよび前記圧縮済みメタデータを送出する出力部と、
を備える、システム。
【請求項２１】
前記メタデータは、前記フレームの少なくとも一つの間引きされた画素の少なくとも一つの成分の値を表す、請求項２０に記載のシステム。
【請求項２２】
前記メタデータは、前記フレームの前記少なくとも一つの間引きされた画素の各々について、前記画素の少なくとも一つの成分の近似値を表す、請求項２０または２１に記載のシステム。
【請求項２３】
前記近似値は、前記フレーム内の少なくとも一つの隣接する画素の少なくとも一つの成分値の組み合わせである、請求項２２に記載のシステム。
【請求項２４】
前記メタデータは、前記フレームの前記少なくとも一つの間引きされた画素の各々について、前記画素の少なくとも一つの成分の実際の値を表す、請求項２０または２１に記載のシステム。
【請求項２５】
前記プロセッサは、前記符号化処理の過程で前記フレームから間引きされたすべての画素について前記メタデータを生成する、請求項２０〜２４のいずれか１つに記載のシステム。
【請求項２６】
前記プロセッサは、各々の間引きされた画素の各々の成分について前記メタデータを生成する、請求項２５に記載のシステム。
【請求項２７】
前記プロセッサは、前記符号化処理の過程で前記フレームから間引きされた画素の各々について、前記画素に対しメタデータを生成するか否かを決定する機能を有する、請求項２０に記載のシステム。
【請求項２８】
前記符号化処理の過程で前記フレームから間引きされた画素の各々について、前記画素に対する標準的補間処理によって前記画素の元の値からずれが生じ、前記プロセッサは各々の画素の前記ずれを所定の最大許容ずれ値と比較する機能を有する、請求項２７に記載のシステム。
【請求項２９】
前記プロセッサは、特定の画素の前記ずれが前記所定の最大許容ずれ値より大きい場合にのみ、前記特定の画素についてメタデータを生成する、請求項２８に記載のシステム。
【請求項３０】
圧縮済み画像フレームを処理するシステムであって、
ａ．圧縮済みフレームおよびそれに関連付けられた圧縮済みメタデータを受信する解凍器であって、前記圧縮済みフレームに第一の解凍処理を施しかつ前記圧縮済みメタデータに第二の解凍処理を施すことによって、解凍済みフレームおよびそれに関連付けられた解凍済みメタデータを生成する機能を有する解凍器と、
ｂ．前記解凍器から前記解凍済みフレームおよびそれに関連付けられた解凍済みメタデータを受信するプロセッサであって、前記プロセッサは、前記解凍済みフレームに復号化処理を施す過程で前記解凍済みメタデータを利用することによって前記解凍済みフレームのオリジナルバージョンを再現する機能を有し、前記解凍済みメタデータは前記解凍済みフレームの少なくとも一つの欠落している画素を前記解凍済みフレームの他の復号化された画素から補間する手段を示す、プロセッサと、
ｃ．前記解凍済みフレームの前記オリジナルバージョンを送出する出力部と、
を備える、システム。
【請求項３１】
前記メタデータは、前記解凍済みフレームの前記オリジナルバージョンの少なくとも一つの画素の少なくとも一つの成分の値を示す、請求項３０に記載のシステム。
【請求項３２】
デジタル画像ストリームのフレーム処理をおこなう処理装置であって、前記処理装置は前記画像ストリームのフレームに符号化処理を施す過程においてメタデータを生成する機能を有し、前記符号化処理は前記フレームから少なくとも一つの画素を間引くことを含み、前記メタデータは前記少なくとも一つの間引きされた画素を前記フレームの他の間引きされておらず符号化されていない画素から再現する手段を示す、処理装置。
【請求項３３】
解凍済み画像ストリームのフレーム処理をおこなう処理装置であって、前記処理装置は解凍済みフレームに関連付けられたメタデータを受信する機能、および前記解凍済みフレームに復号化処理を施す過程で前記メタデータを利用することによって前記解凍済みフレームのオリジナルバージョンを再現する機能を有し、前記メタデータは前記解凍済みフレームの少なくとも一つの欠落している画素を前記解凍済みフレームの他の復号化された画素から補間する手段を示す、処理装置。